(57)【要約】　　　（修正有）【課題】衣料等の繊維製品に優れた防汚性を付与し、しかも汚れが付着しても洗濯で容易に除去できる易洗性を有する易洗防汚処理剤組成物を提供する。【解決手段】炭素数１２〜２６の炭化水素基を１つと炭素数１〜３の炭化水素基を２つ有するアミンオキシド化合物、及び水を含有する衣料用易洗防汚処理剤組成物。上記組成物を対象衣料に接触後乾燥させる。乾燥としては、アイロンによる加熱乾燥が良好。【効果】洗濯後の汚れ除去性に優れる。【選択図】　なし【特許請求の範囲】
【請求項１】
炭素数１２〜２６の炭化水素基を１つと炭素数１〜３の炭化水素基を２つ有するアミンオキシド化合物、及び水を含有する衣料用易洗防汚処理剤組成物。
【請求項２】
請求項１記載の衣料用易洗防汚処理剤組成物を対象衣料に接触後、乾燥させる衣料の易洗防汚処理方法。
【発明の詳細な説明】
【０００１】
【発明の属する技術分野】
本発明は衣料用易洗防汚処理剤組成物及び衣料の処理方法に関する。
【０００２】
【従来の技術及び発明が解決しようとする課題】
衣料の洗浄は一般に弱アルカリ性洗剤を用いて洗濯機で洗浄することが一般的である。しかしながら、衿や袖口の皮脂に由来する汚れや、靴下に付着した泥汚れなどは非常に頑固な汚れであり、通常の洗濯では満足できるレベルまで洗浄することは難しい。
【０００３】
これを解決する方法として、洗濯後の繊維製品に塗布、または浸漬処理することで繊維製品に防汚性を付与する処理剤が提案されている。例えば、繊維製品の表面に、当該繊維製品と汚れとの接触を防止し得る被覆剤を存在させ、当該繊維製品を使用した後、前記被覆剤を除去することを特徴とする繊維製品の汚れ防止方法が知られており、被覆剤として、カルボキシメチルセルロース、加工澱粉及び水不溶性の微粒子が挙げられている（例えば特許文献１）。また、防汚剤の基材として、アクリル酸及び／又はメタクリル酸系高分子化合物（例えば特許文献２〜４）や水不溶性粉体（例えば特許文献５）を用いる含有する防汚剤組成物が提案されている。また、皮膜を形成し得るポリマーを用いた防汚剤も知られている（例えば特許文献６）。しかしながらこれら処理剤においても未だ満足できる防汚効果を得ることができない。
【０００４】
さらに、陽イオン性基を有する化合物を防汚剤として用いる技術も既に提案されている（例えば特許文献７）が、これら処理剤においても未だ満足できる防汚性を得ることができない。
【０００５】
従って本発明の課題は、衣料等の繊維製品に優れた防汚性を付与し、しかも汚れが付着しても洗濯で容易に除去できる易洗性を有する衣料用易洗防汚処理剤を提供することにある。
【０００６】
【特許文献１】
特開平１０−２６３４９７号公報
【特許文献２】
特開２０００−１４３７３８号公報
【特許文献３】
特開２０００−１９９１７８号公報
【特許文献４】
特開２０００−１９９１７９号公報
【特許文献５】
特開平９−２７３０７１号公報
【特許文献６】
特開平９−２７３０７９号公報
【特許文献７】
特表平１１−５０５５６８号公報
【０００７】
【課題を解決するための手段】
本発明は、炭素数１２〜２６の炭化水素基を１つと炭素数１〜３の炭化水素基を２つ有するアミンオキシド化合物、及び水を含有する衣料用易洗防汚処理剤組成物に関する。
【０００８】
また、本発明は、上記本発明の衣料用易洗防汚処理剤組成物を対象衣料に接触後、乾燥させる衣料の易洗防汚処理方法に関する。
【０００９】
なお、本発明による衣料の易洗防汚処理剤組成物とは、衣料に直接接触させた後、乾燥させることで衣料に防汚成分を付着させる処理剤組成物であり、衣料の洗濯に用いられる一般の洗浄剤とは明らかに区別される。
【００１０】
【発明の実施の形態】
本発明の組成物は炭素数１２〜２６の炭化水素基を１つと炭素数１〜３の炭化水素基を２つ有するアミンオキシド化合物を含有し、該化合物の好ましい具体例として一般式（１）の化合物を挙げることができる。
【００１１】
【化１】
2004115968.tif 000002
【００１２】
〔式中、Ｒ１は炭素数１２〜２６のアルキル基又はアルケニル基であり、Ｒ２は炭素数１〜６のアルキレン基であり、Ａは−ＣＯＯ−、−ＣＯＮＨ−、−ＯＣＯ−、−ＮＨＣＯ−から選ばれる基である。ａは０又は１も数であり、Ｒ３、Ｒ４は炭素数１〜３のアルキル基又はヒドロキシアルキル基である。〕。
【００１３】
一般式（１）において、Ｒ１の炭素数は、好ましくは炭素数１２〜２２、より好ましくは１３〜１９、特に好ましくは１５〜１７、最も好ましくは１５である。Ａは、好ましくは−ＣＯＯ−又は−ＣＯＮＨ−であり、最も好ましくは−ＣＯＮＨ−である。Ｒ２の炭素数は、好ましくは２又は３であり、Ｒ３、Ｒ４は、好ましくはメチル基である。
【００１４】
本発明の最も好ましいアミンオキシド化合物としては下記一般式（１−１）の化合物または一般式（１−２）の化合物が好適である。
【００１５】
【化２】
2004115968.tif 000003
【００１６】
〔式中、Ｒ５は炭素数１３〜２１、好ましくは１３〜１９、特に好ましくは１５〜１７、最も好ましくは１５のアルキル基又はアルケニル基であり、ｂ、ｃは２又は３の数である〕。
【００１７】
本発明では、炭素数１２〜２６の炭化水素基、例えば上記一般式中のＲ１又はＲ５は、単独のアルキル（又はアルケニル）鎖長でもよく、異なるアルキル（又はアルケニル）鎖長を有する混合アルキル基（又はアルケニル基）であってもよい。後者の場合には、パーム油、大豆油、なたね油、綿実油から選ばれる植物油及び豚脂、牛脂、魚油から選ばれる動物油から誘導される混合アルキル（又はアルケニル）鎖長を有するものが好適である。具体的にはパルミチル基（またはパルミチン酸残基）／ステアリル基（又はステアリン酸残基、もしくはオレイル基またはオレイン酸残基）のモル比が９０／１０〜２０／８０、好ましくは９０／１０〜３０／７０であることが易洗防汚効果の点から好ましい。
【００１８】
本発明に係わる組成物は、上記アミンオキシド化合物を易洗防汚効果の点から好ましくは０．０１〜３０質量％、より好ましくは０．１〜２０質量％、特に好ましくは０．５〜１０質量％含有することが好適である。
【００１９】
本発明に係わる組成物は上記アミンオキシド化合物を水に溶解させた水溶液の形態であり、用いる水は微量に存在する金属を除去したイオン交換水や蒸留水が好ましい。水の含有量は４０〜９９．５質量％、より好ましくは６０〜９９質量％、特に好ましくは８０〜９９質量％が好適である。また、該組成物の２０℃におけるｐＨは、易洗防汚効果の点から好ましくは５〜８．５、より好ましくは６〜７．８、特に好ましくは６．５〜７．５が好適である。このようなｐＨに調整するために塩酸、硫酸、リン酸、クエン酸、コハク酸、乳酸から選ばれる酸、及び炭酸ナトリウム、炭酸カリウム、水酸化ナトリウム、水酸化カリウム、アルカノールアミンから選ばれるアルカリ剤を用いることが好ましい。本発明では特に塩酸、硫酸から選ばれる酸、及び炭酸ナトリウム、水酸化ナトリウムから選ばれるアルカリ剤を用いることが好ましい。
【００２０】
本発明に係わる組成物は上記アミンオキシド化合物以外の界面活性剤を含有することができるが、本発明の効果を妨げるおそれがあるために含有量はアミンオキシド化合物に対して好ましくは８０質量％以下、より好ましくは５０質量％以下、特に好ましくは２５質量％以下、最も好ましくは１０質量％以下である。本発明に用いることができる界面活性剤としては、炭素数８〜１５のアルキル基を有するアルキルベンゼンスルホン酸塩、炭素数８〜１６のアルキル硫酸エステル塩、平均付加モル数が１〜４、アルキル基の炭素数が８〜１６のポリオキシエチレンアルキルエーテル硫酸エステル塩から選ばれる陰イオン界面活性剤、平均付加モル数が４〜２０、アルキル基の炭素数が８〜１４のポリオキシエチレン（及び／又はポリオキシプロピレン）アルキルエーテル型非イオン界面活性剤、エステル基又はアミド基で分断されていてもよい炭素数が１２〜２２アルキル基を１つまたは２つ有する４級アンモニウム型陽イオン界面活性剤、炭素数１０〜１８のアルキル基を有するスルホベタイン型、又はカルボベタイン型両性界面活性剤を挙げることができる。
【００２１】
本発明に係わる組成物は衣料に該組成物を接触させた後の乾燥を促進させる目的、又は該組成物の貯蔵安定性を改善する目的から、水溶性の溶剤を用いることが好ましい。具体的に好ましい溶剤としてはエタノール、プロパノール、イソプロパノール、エチレングリコール、プロピレングリコール、及びグリセリンが好適であり、特にエタノール及び／又はプロピレングリコールが好ましい。このような溶剤の比率は、組成物中に好ましくは０．１〜４０質量％、より好ましくは１〜２０質量％、特に好ましくは５〜２０質量％含有される。
【００２２】
本発明に係わる組成物は、易洗防汚効果を向上させる目的から炭素数１〜４の炭化水素基が１〜３個置換していてもよいアルキルベンゼンスルホン酸塩、又はナフタレンスルホン酸塩を含有することが好ましく、具体的に好ましい化合物としては、ｐ−トルエンスルホン酸ナトリウム、ｍ−キシレンスルホン酸ナトリウム、クメンスルホン酸ナトリウム及びナフタレンスルホン酸ナトリウムから選ばれる１種以上であり、特にｐ−トルエンスルホン酸ナトリウム及びナフタレンスルホン酸ナトリウムから選ばれる化合物が最も好ましい。このような化合物は組成物中に好ましくは０〜１０質量％、より好ましくは０．０１〜５質量％、特に好ましくは０．１〜１質量％含有される。
【００２３】
本発明では上記組成物を対象衣料に接触後乾燥させる。対象衣料は着用前の汚れが付着する前の衣料であり、洗濯時の脱水終了後の衣料、あるいは乾燥後の衣料に接触させることが易洗防汚効果を効果的に得る目的から好ましい。接触させる方法としては、該組成物に対象衣料を浸漬させる方法、スプレーヤーを用いて該組成物を対象衣料に噴霧する方法、又は布帛、不織布、スポンジ等の可撓性で吸水性の基体に含浸させたもので繊維製品を擦る方法が好ましい。特にスプレーにより噴霧する方法が簡便に易洗防汚効果を得ることができるため好ましく、スプレーはトリガー式スプレー容器が好ましく、特に実開平４−３７５５４号公報の第１図に示されているような液垂れや噴霧の均一性に優れる蓄圧式トリガーを用いることが良好である。
【００２４】
本発明の組成物に用いるのに好ましいトリガー式スプレー容器は、１回のストロークで０．２ｇ〜１．５ｇ、好ましくは０．２５〜１．２ｇ、特に好ましくは０．３〜１．０ｇ噴出するものが良好であり、特に地面に垂直に置いた対象物に１５ｃｍ離れた場所からスプレーしたときの液のかかる面積が１００〜８００ｃｍ２、好ましくは１５０〜６００ｃｍ２になる容器が好ましい。また、本発明では、上記アミンオキシド化合物が衣料１００ｃｍ２当たり好ましくは０．００１〜２ｇ、より好ましくは０．０１〜１ｇ、特に好ましくは０．０２〜０．５ｇ付着するように均一に衣料にスプレーし、好ましくは濯ぐことなく、乾燥させることが易洗防汚効果の点から好適である。
【００２５】
本発明では該組成物を対象衣料に接触後、好ましくは濯ぐことなく、乾燥を行う。乾燥は、自然乾燥や、乾燥機あるいはアイロンによる加熱乾燥が好ましく、特に、洗濯後乾燥した衣料に用いる場合には、アイロンによる加熱乾燥が最も好ましい。
【００２６】
【実施例】
白いワイシャツ（ＲＥＡＬ−ＬＩＮＥ　ＦＡＳＨＩＯＭ社製ＣＲＥＡＮＥＡＲＲＯＷ）５枚を市販の衣料用洗剤（花王（株）アタック）を用いて洗濯機で洗浄し（東芝製２槽式洗濯機ＶＨ−３６０Ｓ１、洗剤濃度０．０６６７質量％、水道水３０Ｌ使用、水温２０℃、１０分間、すすぎ２回）、自然乾燥させた。
【００２７】
花王（株）製アイロン用スムーザー４００ｍｌの中身を抜いた手動式スプレー容器を匂いが無くなるまで洗浄し、自然乾燥させたもの（１回のストロークで０．３ｇ噴出、１５ｃｍ離れた場所から噴射させたときの付着面積４２０ｃｍ２）に表１の組成物４００ｍｌを入れた。
【００２８】
上記乾燥後のワイシャツの衿の部分の半分に上記スプレーを用いてアミンオキシド化合物の付着量が０．０２ｇ／１００ｃｍ２になるようにスプレーした（ただし、比較例１、２、４は、実施例３の噴霧量と同じとした）。その後アイロンをかけて乾燥した。
【００２９】
処理後のワイシャツを５人の男性（２０〜３０代）に３６時間（１日１２時間で３日間）着用させ、着用後の衣料の衿部分を下記の基準で判定した。次に、この着用後の衣料を上記と同様の方法で洗濯し、自然乾燥させたワイシャツの衿部分を下記の基準で判定した。
【００３０】
判定基準
０：処理した部分の方が、汚れが付着していない（又は汚れが落ちている）
１：処理した部分の方が、あまり汚れが付着していない（又はやや汚れが落ちている）
２：処理した部分と処理していない部分に差がない
３：処理した部分の方が、汚れが付着している（又は汚れが落ちていない）
ワイシャツ５枚の平均を求め、平均点が０．５未満の場合を◎、０．５以上１未満を○、１以上１．５未満を□、１．５以上２未満を△、２以上を×として評価し表１に示した。
【００３１】
【表１】
2004115968.tif 000004
【００３２】
・アミンオキシド１：Ｎ−アルキル−Ｎ，Ｎ−ジメチルアミンオキシド（アルキル基：炭素数１６／炭素数１８＝４０／６０、モル比）
・アミンオキシド２：Ｎ−アルカノイルオキシエチル−Ｎ，Ｎ−ジメチルアミンオキシド（アルカノイル基：硬化牛脂アルキル組成）
・アミンオキシド３：Ｎ−パルミトイルアミノプロピル−Ｎ，Ｎ−ジメチルアミンオキシド
・アミンオキシド４：Ｎ−デカノイルアミノプロピル−Ｎ，Ｎ−ジメチルアミンオキシド
・ポリアクリル酸：ナトリウム塩、重量平均分子量１００００
・陰イオン界面活性剤１：ポリオキシエチレンラウリルエーテル硫酸エステル塩、エチレンオキシド平均付加モル数２．５
ｐＨ調節は０．１規定硫酸水溶液及び０．１規定水酸化ナトリウム水溶液で行った。